(57)【特許請求の範囲】
【請求項１】
芯案内内筒と芯案内外筒とから成る芯案内筒内に昇降自在の燃芯を備え、更に芯案内筒上端の火皿部上には燃焼筒を載置し、又芯案内外筒の火皿部下方には窓部を設け、この窓部に外方から支持金具に支持されて放電電極が位置するものに於いて、前記火皿部には窓部に連続する切り欠き部を形成すると共に、放電電極の碍子部の底部或いは支持金具の上面のどちらか一方に突部を設け、更にこの突部近傍の支持金具には開口部を形成し、外方から放電電極に向かう空気の流れを形成した事を特徴とする石油燃焼器具の放電式点火装置。
【発明の詳細な説明】
【０００１】
【発明の属する技術分野】
この発明は、石油ストーブに使用される電子点火と言われる放電式点火装置に関するものである。
【０００２】
【従来の技術】
従来よりこの種のものに於いては、図７に示す如く、芯案内外筒ａの火皿部ｂ下方に窓部ｃを形成し、この窓部ｃに外方から放電電極ｄが望むようにして設置し、燃芯ｅ上端の凹部ｆに備えた対極板ｇとの間で放電を行うことで、点火が行われるものであった。
【０００３】
【発明が解決しようとする課題】
ところでこの従来のものでは、窓部ｃが火皿部ｂと放電電極ｄとで閉塞され、燃芯ｅからの蒸発燃料が放電電極ｄや碍子部ｈの先端に接触して液化したり、窓部ｃに充満した蒸発燃料が消火による温度低下で液化し、これが各部の隙間から毛細管現象で外方に染み出し、臭気の原因となるものであった。
【０００４】
【課題を解決するための手段】
この発明は、この点に着目し上記欠点を解決する為、特にその構成を、芯案内内筒と芯案内外筒とから成る芯案内筒内に昇降自在の燃芯を備え、更に芯案内筒上端の火皿部上には燃焼筒を載置し、又芯案内外筒の火皿部下方には窓部を設け、この窓部に外方から支持金具に支持されて放電電極が位置するものに於いて、前記火皿部には窓部に連続する切り欠き部を形成すると共に、放電電極の碍子部の底部或いは支持金具の上面のどちらか一方に突部を設け、更にこの突部近傍の支持金具には開口部を形成し、外方から放電電極に向かう空気の流れを形成したものである。
【０００５】
【発明の実施の形態】
次にこの発明に係る石油燃焼器具の放電式点火装置を図面に示された一実施例で説明する。
１は芯案内内筒２と芯案内外筒３から構成された芯案内筒で、内方には昇降自在の燃芯４を備え、更に上端の火皿部５には内筒６及び中筒７及び外筒８から成る複筒式の燃焼筒９の内筒６及び中筒７が載置されている。
【０００６】
１０は燃芯４上端に形成された凹部で、燃芯４の点火位置である最上昇位置でも火皿部５より低い位置となるように形成されており、この凹部１０には芯止バンド１１に一端を固定した対極板１２の先端部が芯案内外筒３側から位置している。
【０００７】
前記対極板１２は、燃芯４外周に沿って全体にＲ状に形成され、下部には芯止バンド１１に固定する為の引掛け片１３と折り曲げ片１４とを有し、上部には燃芯４外周方向から凹部１０内に向かうように屈曲した対極部１５が形成されている。
【０００８】
１６は燃芯４の点火位置である最上昇位置で、凹部１０と対向する芯案内外筒３に形成された開口から成る窓部で、この窓部１６を介して碍子部分１７が固定金具１８で固定された放電電極１９が凹部１０に対向して位置され、対極板１２の対極部１５とは凹部１０の燃芯４上で接近している。
【０００９】
２０は芯案内外筒３の火皿部５外周に備えられたフランジ部で、燃焼筒９の外筒８下端との間には空気流通用の隙間を形成している。
【００１０】
２１は碍子部１７を支持し放電電極１９を窓部１６に位置させる支持金具で、碍子部１７の細い後側を貫通させる貫通穴２２を備え、この貫通穴２２両側の当接片２３で碍子部１７の段部２４と当接し、固定金具１８に取り付け片２５を取り付けることで、芯案内外筒３側に押圧されて所定位置に放電電極１９を支持するものである。
【００１１】
更に支持金具２１の碍子部１７を載置した上面先端部には２個の小さな突部２６を設け、碍子部１７との間に隙間が形成されるようにし、又この突部２６後方側には開口部２７が形成され、この開口部２７は固定金具１８の芯案内外筒３との間の間隔２８と連通し、該間隔２８及び開口部２７及び碍子部１７底部の隙間を介して、放電電極１９に外方の空気が流通するようにしているものであり、一方放電電極１９上方の火皿部５には、窓部１６と連通する切り欠き部２９を形成し、流入した空気を燃芯４上端の燃焼部へ供給して燃焼させるものである。
【００１２】
尚、ここでは支持金具２１側に突部２６を設けて隙間を形成したが、碍子部１７の底部に突部を設けて隙間を形成するようにしても良いものである。
【００１３】
次にこの発明一実施例の作動について説明する。
今燃芯４を上昇させ点火位置である最上昇位置まで上昇させれば、凹部１０は放電電極１９が突出している窓部１６に対極板１２と共に位置することになる。
【００１４】
そしてここで点火スイッチ（図示せず）を押圧して放電電極１９に一定時間通電するようにすれば、該放電電極１９から対極板１２の対極部１５に向かって放電が行われ、この放電で凹部１０上端の燃芯４部分に火が付き、これが燃芯４上端全周に周り、点火が行われるものであり、又燃芯４上端が火皿部５上の範囲では自由に火力の調節が行えるものである。
【００１５】
従って、点火部分が火皿部５より下方の芯案内筒１内であるので、燃焼筒９に誤って放電して点火不良を招く心配がなく、又常に強力な燃焼火炎中に放電電極１９及び対極板１２が晒されることがなく、長期間の使用でも焼損したり放電不良を引き起こすことがなく、常に確実で良好な点火を得ることが出来るものである。
【００１６】
更に燃焼時には、間隔２８及び開口部２７及び突部２６による碍子部１７底部の隙間を介して、外方の空気が窓部１６の放電電極１９に流通し、ここに発生する燃芯４の蒸発燃料を火皿部５の切り欠き部２９を介して燃焼部分に供給し、燃焼させるものであり、蒸発燃料が放電電極１９や碍子部１７先端に付着して液化することなく、又燃焼中は常にこの流れが出来ているので、蒸発燃料が窓部１６に充満することもないので、外方に染み出して臭気の原因となることがなく、常に良好な燃焼を得ることが出来るものである。
【００１７】
【発明の効果】
以上のようにこの発明によれば、燃焼筒への誤放電による点火不良や、放電電極及び対極板が強力な燃焼火炎に晒されることがなく、焼損や放電不良を招くことがなく、長期間に渡って確実で良好な放電点火が行われるものであり、更に窓部の放電電極には常に外方からの空気の流通が有り、蒸発燃料の染み出しによる臭気の発生を確実に防止出来、臭気のない良好な燃焼が得られるものである。
【図面の簡単な説明】
【図１】この発明一実施例を付した石油燃焼装置の要部断面図。
【図２】同要部の水平断面図。
【図３】同要部の正面図。
【図４】同燃芯の斜視図。
【図５】同対極板の正面図。
【図６】同放電電極と支持金具の斜視図。
【図７】従来例を示す要部断面図。
【符号の説明】
１  芯案内筒
２  芯案内内筒
３  芯案内外筒
４  燃芯
５  火皿部
９  燃焼筒
１０  凹部
１２  対極板
１６  窓部
１９  放電電極
２１  支持金具
２６  突部
２７  開口部
２８  間隔
２９  切り欠き部
【図１】
0003825230.tif 000002
【図２】
0003825230.tif 000003
【図３】
0003825230.tif 000004
【図４】
0003825230.tif 000005
【図５】
0003825230.tif 000006
【図６】
0003825230.tif 000007
【図７】
0003825230.tif 000008